【手続補正書】
【提出日】平成26年9月17日(2014.9.17)
【手続補正１】
【補正対象書類名】特許請求の範囲
【補正対象項目名】全文
【補正方法】変更
【補正の内容】
【特許請求の範囲】
【請求項１】
既知のパイロットキャリアを含む複数の変調サブキャリアが多重化された周波数分割多重化信号を受信する受信装置であって、
前記周波数分割多重化信号から離散信号を生成するフロントエンド部と、
前記離散信号を一時的に記憶した後に出力するデータ蓄積部と、
前記データ蓄積部により出力された当該離散信号から妨害波信号を減算して減算信号を生成する減算部と、
前記離散信号と前記減算信号とのうちのいずれか一方を選択して出力する信号選択部と、
前記信号選択部の出力に対して離散フーリエ変換を実行することにより複数の周波数ドメイン信号を生成するフーリエ変換部と、
前記複数の周波数ドメイン信号のうち前記パイロットキャリアに対応する受信パイロット信号に基づいて伝送路特性を推定し、当該推定された伝送路特性を用いて前記複数の周波数ドメイン信号に等化処理を施すことにより複数の周波数ドメイン等化信号を生成する等化処理部と、
前記複数の周波数ドメイン信号と前記複数の周波数ドメイン等化信号とに基づいて、前記複数の変調サブキャリアの周波数にそれぞれ対応する複数の周波数ドメイン妨害波成分を推定する妨害波推定部と、
前記複数の周波数ドメイン妨害波成分に対して逆離散フーリエ変換を実行して前記妨害波信号を生成する逆フーリエ変換部と、
前記データ蓄積部及び前記信号選択部の動作を個別に制御する制御部と
を備えることを特徴とする受信装置。
【請求項２】
請求項１に記載の受信装置であって、
前記データ蓄積部及び前記信号選択部は、第１の動作モードと第２の動作モードとを有し、
前記第１の動作モードでは、前記データ蓄積部から前記離散信号が出力されるとともに、前記信号選択部により前記離散信号が選択され、
前記第２の動作モードでは、前記データ蓄積部から前記離散信号が再度出力されるとともに、前記信号選択部により前記減算信号が選択される
ことを特徴とする受信装置。
【請求項３】
請求項２に記載の受信装置であって、前記制御部は、前記データ蓄積部及び前記信号選択部を前記第１の動作モードで動作させた後に前記第２の動作モードで動作させることを特徴とする受信装置。
【請求項４】
請求項２または３に記載の受信装置であって、
前記変調サブキャリアに適用されたディジタル変調方式に従って、前記複数の周波数ドメイン等化信号にそれぞれ対応する複数の信号点を判定する信号点判定部と、
前記複数の周波数ドメイン等化信号と前記複数の信号点との間の誤差を検出する誤差評価部と
をさらに備え、
前記制御部は、前記誤差評価部による検出結果に基づいて前記データ蓄積部及び前記信号選択部の動作を制御する
ことを特徴とする受信装置。
【請求項５】
請求項４に記載の受信装置であって、
前記誤差評価部は、前記データ蓄積部及び前記信号選択部が前記第１の動作モードで動作したときの当該誤差と、前記データ蓄積部及び前記信号選択部が前記第２の動作モードで動作したときの当該誤差とを比較し、
前記制御部は、前記誤差評価部による比較結果に基づいて前記データ蓄積部及び前記信号選択部の動作を制御する
ことを特徴とする受信装置。
【請求項６】
請求項２または３に記載の受信装置であって、
前記複数の周波数ドメイン信号に基づいて前記伝送路特性の遅延プロファイルを推定する遅延プロファイル推定部と、
前記遅延プロファイルの電力分布に基づいて妨害波が抑圧されたか否かを判定する妨害波抑圧評価部と
をさらに備え、
前記制御部は、前記妨害波抑圧評価部による判定結果に基づいて前記データ蓄積部及び前記信号選択部の動作を制御する
ことを特徴とする受信装置。
【請求項７】
請求項６に記載の受信装置であって、
前記妨害波抑圧評価部は、
前記遅延プロファイルから希望波及び遅延波の電力分布と当該希望波及び遅延波以外の雑音電力分布とを分離する成分分離部と、
前記希望波及び遅延波の電力分布と前記雑音電力分布とを比較し、その比較結果に基づいて前記妨害波が抑圧されたか否かを判定する判定処理部と
を含むことを特徴とする受信装置。
【請求項８】
請求項７に記載の受信装置であって、
前記判定処理部は、
前記希望波及び遅延波の電力分布に基づいて第１の電力積分値を算出するとともに前記雑音電力分布に基づいて第２の電力積分値を算出する電力算出部と、
前記第１の電力積分値と前記第２の電力積分値との比率を算出し、前記比率の変化に基づいて前記妨害波が抑圧されたか否かを判定する判定部と
を含むことを特徴とする受信装置。
【請求項９】
請求項６に記載の受信装置であって、
前記妨害波抑圧評価部は、
前記遅延プロファイルから希望波及び遅延波以外の雑音電力分布を分離する成分分離部と、
前記雑音電力分布に基づいて前記妨害波が抑圧されたか否かを判定する判定処理部と
を含むことを特徴とする受信装置。
【請求項１０】
請求項９に記載の受信装置であって、
前記判定処理部は、
前記雑音電力分布に基づいて電力積分値を算出する電力算出部と、
前記電力積分値の変化に基づいて前記妨害波が抑圧されたか否かを判定する判定部と
を含むことを特徴とする受信装置。
【請求項１１】
請求項６から１０のうちのいずれか１項に記載の受信装置であって、
前記遅延プロファイル推定部は、
前記複数の周波数ドメイン信号のうち前記パイロットキャリアに対応する受信パイロット信号に基づいて伝送路特性を推定する副伝送路特性推定部と、
前記副伝送路特性推定部により推定された伝送路特性に対して逆離散フーリエ変換を実行することにより時間ドメインの複素信号を生成する逆フーリエ変換部と、
前記複素信号の電力分布を前記遅延プロファイルとして算出する電力算出部と
を含むことを特徴とする受信装置。
【請求項１２】
請求項１から３のうちのいずれか１項に記載の受信装置であって、
前記変調サブキャリアに適用されたディジタル変調方式に従って、前記複数の周波数ドメイン等化信号にそれぞれ対応する複数の信号点を判定する信号点判定部をさらに備え、
前記妨害波推定部は、
前記複数の信号点と前記等化処理部により推定された当該伝送路特性とに基づいて、前記複数の信号点にそれぞれ対応する複数の受信データシンボルを推定する逆等化部と、
前記複数の周波数ドメイン信号から、当該推定された複数の受信データシンボルをそれぞれ減算することで前記複数の周波数ドメイン妨害波成分としての複数の周波数ドメイン妨害波信号を生成する妨害波成分抽出部と
を含むことを特徴とする受信装置。
【請求項１３】
既知のパイロットキャリアを含む複数の変調サブキャリアが多重化された周波数分割多重化信号を受信する受信方法であって、
前記周波数分割多重化信号から離散信号を生成するステップと、
前記離散信号をデータ蓄積部に一時的に記憶させるステップと、
前記データ蓄積部から前記離散信号を出力させるステップと、
当該出力された離散信号に対して離散フーリエ変換を実行することにより複数の周波数ドメイン信号を生成するステップと、
前記複数の周波数ドメイン信号のうち前記パイロットキャリアに対応する受信パイロット信号に基づいて第１の伝送路特性を推定し、前記第１の伝送路特性を用いて前記複数の周波数ドメイン信号に等化処理を施すことにより複数の周波数ドメイン等化信号を生成するステップと、
前記複数の周波数ドメイン信号と前記複数の周波数ドメイン等化信号とに基づいて、前記複数の変調サブキャリアの周波数にそれぞれ対応する複数の周波数ドメイン妨害波成分を推定するステップと、
前記複数の周波数ドメイン妨害波成分に対して逆離散フーリエ変換を実行して妨害波信号を生成するステップと、
前記データ蓄積部から前記離散信号を再度出力させるステップと、
当該再度出力された離散信号から前記妨害波信号を減算して減算信号を生成するステップと、
前記減算信号に対して離散フーリエ変換を実行することにより複数の周波数ドメイン信号を再度生成するステップと、
当該再度生成された複数の周波数ドメイン信号のうち前記パイロットキャリアに対応する受信パイロット信号に基づいて第２の伝送路特性を推定し、前記第２の伝送路特性を用いて、前記減算信号から生成された当該複数の周波数ドメイン信号に等化処理を施すことにより複数の周波数ドメイン等化信号を生成するステップと
を備えることを特徴とする受信方法。